(57)【要約】【課題】コンテンツを書き込んだ光ディスクにコンテンツ情報を容易に印刷する。【解決手段】メディア記録装置と印刷装置は、ＤＬＮＡガイドラインに準拠するネットワークで接続され、メディア記録装置は、コンテンツのデータを記憶する記憶部と、記憶部に記憶されたコンテンツの中から選択されたコンテンツのデータと、コンテンツに対応する識別情報を記録メディアに書き込む書き込み部と、印刷装置から識別情報に関する問い合わせを受けた場合、識別情報に対応するコンテンツに関するコンテンツ情報を取得し、取得したコンテンツ情報を印刷装置に送るコンテンツ管理部と、を備え、印刷装置は、記録メディアに記録された情報を読み込む読み込み部と、読み込んだ情報から識別情報を抽出し、識別情報に関する問い合わせをメディア記録装置に送り、メディア記録装置が問い合わせに対して送るコンテンツ情報を取得し記録メディアに印刷する印刷部と、を備える。【選択図】図１
2011109436.tif 000002
【特許請求の範囲】
【請求項１】
コンテンツを脱着可能な記録メディアに記録するメディア記録装置と、前記記録メディアに情報を印刷する印刷装置とが、ＤＬＮＡ（Ｄｉｇｉｔａｌ  Ｌｉｖｉｎｇ  Ｎｅｔｗｏｒｋ  Ａｌｌｉａｎｃｅ）ガイドラインに準拠するネットワーク上で接続された印刷システムであって、
前記メディア記録装置は、
コンテンツのデータを記憶する記憶部と、
前記記憶部に記憶された前記コンテンツの中から選択された前記コンテンツのデータと、前記コンテンツに対応する識別情報を前記記録メディアに書き込む書き込み部と、
前記印刷装置から前記識別情報に関する問い合わせを受けた場合、前記識別情報に対応する前記コンテンツに関するコンテンツ情報を取得し、取得した前記コンテンツ情報を前記印刷装置に送るコンテンツ管理部と、を備え、
前記印刷装置は、
前記記録メディアに記録された情報を読み込む読み込み部と、
前記読み込み部が読み込んだ情報から前記識別情報を抽出し、前記識別情報に関する問い合わせを前記メディア記録装置に送り、前記メディア記録装置が前記問い合わせに対して送る前記コンテンツ情報を取得する情報取得部と、
前記情報取得部が取得した前記コンテンツ情報を前記記録メディアに印刷する印刷部と、を備えることを特徴とする印刷システム。
【請求項２】
請求項１に記載の印刷システムにおいて、
前記メディア記録装置は、ＵＰｎＰ（Ｕｎｉｖｅｒｓａｌ  Ｐｌｕｇ  ａｎｄ  Ｐｌａｙ）に準拠したＤＭＳ（Ｄｉｇｉｔａｌ  Ｍｅｄｉａ  Ｓｅｒｖｅｒ）であり、
前記印刷装置は、前記ＵＰｎＰに準拠したＤＭＰｒ（Ｄｉｇｉｔａｌ  Ｍｅｄｉａ  Ｐｒｉｎｔｅｒ）であることを特徴とする印刷システム。
【請求項３】
請求項１乃至２のいずれかに記載の印刷システムにおいて、
前記コンテンツ管理部は、前記印刷装置から前記識別情報に関する問い合わせを受けた場合、最初に、前記識別情報に対応する前記コンテンツを前記記録メディアに書き込んだことを示す書き込み情報を送り、
前記情報取得部は、前記コンテンツ管理部から送られる前記書き込み情報が書き込みを示す場合、前記コンテンツ管理部に対して前記コンテンツ情報を要求することを特徴とする印刷システム。
【請求項４】
ＤＬＮＡガイドラインに準拠するネットワークを介して接続されたメディア記録装置が記録メディアに記録したコンテンツの情報を、前記記録メディアに印刷する印刷装置であって、
前記記録メディアに記録された情報を読み込む読み込み部と、
前記読み込み部が読み込んだ情報から前記コンテンツに対応する識別情報を抽出し、前記識別情報に関する問い合わせを前記メディア記録装置に送り、前記メディア記録装置が前記問い合わせに対して送るコンテンツ情報を取得する情報取得部と、
前記情報取得部が取得した前記コンテンツ情報を前記記録メディアに印刷する印刷部と、を備えることを特徴とする印刷装置。
【請求項５】
メディア記録装置と印刷装置とがＤＬＮＡガイドラインに準拠するネットワークを介して接続され、前記メディア記録装置がコンテンツを記録した脱着可能な記録メディアに、前記印刷装置が前記コンテンツの情報を印刷する印刷方法であって、
前記メディア記録装置が記憶した前記コンテンツの中から選択された前記コンテンツのデータと、前記コンテンツに対応する識別情報を前記記録メディアに書き込む工程と、
前記印刷装置が前記記録メディアに記録された情報を読み込む工程と、
前記印刷装置が読み込んだ前記情報から前記識別情報を抽出し、前記メディア記録装置に対して前記識別情報に関して問い合わせる工程と、
前記メディア記録装置が前記識別情報に関する問い合わせを受けた場合、前記識別情報に対応する前記コンテンツに関するコンテンツ情報を取得し、取得した前記コンテンツ情報を前記印刷装置に送る工程と、
前記印刷装置が前記メディア記録装置から送られる前記コンテンツ情報を取得し、取得した前記コンテンツ情報を前記記録メディアに印刷する工程と、を有することを特徴とする印刷方法。
【発明の詳細な説明】
【技術分野】
【０００１】
本発明は、印刷システム、印刷装置および印刷方法に関する。
【背景技術】
【０００２】
近年、家庭内において、内蔵するハードディスクにテレビ番組等のコンテンツをＭＰＥＧ（Ｍｏｖｉｎｇ  Ｐｉｃｔｕｒｅ  Ｅｘｐｅｒｔ  Ｇｒｏｕｐ）２等の圧縮形式で記憶し、後刻、再生して視聴できるハードディスクドライブ（Ｈａｒｄ  ＤＩｓｋ  Ｄｒｉｖｅ：ＨＤＤ）レコーダーが普及している。このようなＨＤＤレコーダーの中には、所望のコンテンツを、更に、ＤＶＤ（Ｄｉｇｉｔａｌ  Ｖｅｒｓａｔｉｌｅ  Ｄｉｓｃ）のような光ディスクに記録できるドライブ装置を内蔵した機種も多く提供されている。
ユーザーは、ＨＤＤレコーダーで記録した光ディスクの保管や管理を容易にすべく、光ディスクのレーベル等にコンテンツのタイトル、再生時間および作成日時等の情報を書き加えたり、下記特許文献１に示すような印刷装置を使ってコンテンツに関連する画像を印刷したりした。
ところで、ＨＤＤレコーダーや印刷装置は、メーカーが異なる場合、これらを直接に接続し、ＨＤＤレコーダーに記憶したコンテンツに関連する画像や情報を印刷装置に送ることは難しかった。しかしながら、近年では、Ｄｉｇｉｔａｌ  Ｌｉｖｉｎｇ  Ｎｅｔｗｏｒｋ  Ａｌｌｉａｎｃｅ（ＤＬＮＡ）により策定されたガイドライン（ＤＬＮＡガイドライン）に準拠することにより、これらの装置を直接に接続することが可能になった。
【０００３】
図４は、ＤＭＳ（Ｄｉｇｉｔａｌ  Ｍｅｄｉａ  Ｓｅｒｖｅｒ）として機能するＨＤＤレコーダー２３０、ＤＭＰｒ（Ｄｉｇｉｔａｌ  Ｍｅｄｉａ  Ｐｒｉｎｔｅｒ）として機能するインクジェットプリンター２１０およびＤＭＣ（Ｄｉｇｉｔａｌ  Ｍｅｄｉａ  Ｃｏｎｔｒｏｌｌｅｒ）として機能する情報端末装置７０がネットワーク６２に接続され、光ディスクにコンテンツを書き込み、そのコンテンツの情報を光ディスクに印刷するためのシステムの概機能構成を示す。ここで、インクジェットプリンター２１０のプリントエンハンスドサービス２１５、ＨＤＤレコーダー２３０のコンテンツディレクトリーサービス３４とコネクションマネージャーサービス３６は、何れもＵＰｎＰ（Ｕｎｉｖｅｒｓａｌ  Ｐｌｕｇ  ａｎｄ  Ｐｌａｙ）規格に準拠した公知のサービスである。
【０００４】
ユーザーは、ＨＤＤレコーダー２３０で所望のコンテンツを光ディスク８０に書き込み、書き込んだ光ディスク８０をＨＤＤレコーダー２３０にセットする。そして、ユーザーは、情報端末装置７０を操作して、上記したサービスを利用し、所望のコンテンツに関する情報をインターネット６０やＨＤＤレコーダー２３０から取得し、取得した情報の印刷をインクジェットプリンター２１０に指示することで、光ディスク８０にコンテンツに関する情報を印刷することができる。
【先行技術文献】
【特許文献】
【０００５】
【特許文献１】特開２００７−２７６２９６号公報
【発明の概要】
【発明が解決しようとする課題】
【０００６】
しかしながら、光ディスクにコンテンツが書き込まれた場合、書き込まれたコンテンツに関する情報は視認できないため、ユーザーは、コンテンツを書き込んだ光ディスクに付箋を付けたり、整理番号を付加したりする必要があり、特に、複数の光ディスクにそれぞれ異なるコンテンツを書き込み、これらを印刷装置にセットして印刷する場合、ユーザーは光ディスクとコンテンツを間違えないように管理する必要があり、所望の情報を光ディスクに印刷するまでに多くの手間と時間を要した。
本発明は、コンテンツを書き込んだ光ディスクにコンテンツ情報を容易に印刷することを目的とする。
【課題を解決するための手段】
【０００７】
本発明は、上述の課題の少なくとも一部を解決するためになされたものであり、以下の形態又は適用例として実現することが可能である。
【０００８】
［適用例１］
本適用例にかかる印刷システムは、コンテンツを脱着可能な記録メディアに記録するメディア記録装置と、前記記録メディアに情報を印刷する印刷装置とが、ＤＬＮＡ（Ｄｉｇｉｔａｌ  Ｌｉｖｉｎｇ  Ｎｅｔｗｏｒｋ  Ａｌｌｉａｎｃｅ）ガイドラインに準拠するネットワーク上で接続された印刷システムであって、前記メディア記録装置は、コンテンツのデータを記憶する記憶部と、前記記憶部に記憶された前記コンテンツの中から選択された前記コンテンツのデータと、前記コンテンツに対応する識別情報を前記記録メディアに書き込む書き込み部と、前記印刷装置から前記識別情報に関する問い合わせを受けた場合、前記識別情報に対応する前記コンテンツに関するコンテンツ情報を取得し、取得した前記コンテンツ情報を前記印刷装置に送るコンテンツ管理部と、を備え、前記印刷装置は、前記記録メディアに記録された情報を読み込む読み込み部と、前記読み込み部が読み込んだ情報から前記識別情報を抽出し、前記識別情報に関する問い合わせを前記メディア記録装置に送り、前記メディア記録装置が前記問い合わせに対して送る前記コンテンツ情報を取得する情報取得部と、前記情報取得部が取得した前記コンテンツ情報を前記記録メディアに印刷する印刷部と、を備えることを特徴とする。
【０００９】
このような構成によれば、メディア記録装置は、記録メディアにコンテンツと、そのコンテンツに対応する識別情報を書き込み、印刷装置は、記録メディアに書き込まれた情報から識別情報を抽出し、抽出した識別情報に関してメディア記録装置に問い合わせる。そして、メディア記録装置は、印刷装置から問い合わせを受けた識別情報に対応するコンテンツ情報を取得して印刷装置に送り、印刷装置は、コンテンツ情報を取得し、取得したコンテンツ情報を記録メディアに印刷する。従って、記録メディアには、記録されたコンテンツに加えて、このコンテンツに対応する識別情報が書き込まれ、識別情報に基づいてコンテンツの情報を授受するため、記録メディアに記録したコンテンツの情報を正確かつ容易に記録メディアに印刷できる。
【００１０】
［適用例２］
上記適用例にかかる印刷システムにおいて、前記メディア記録装置は、ＵＰｎＰ（Ｕｎｉｖｅｒｓａｌ  Ｐｌｕｇ  ａｎｄＰｌａｙ）に準拠したＤＭＳ（Ｄｉｇｉｔａｌ  Ｍｅｄｉａ  Ｓｅｒｖｅｒ）であり、前記印刷装置は、前記ＵＰｎＰに準拠したＤＭＰｒ（Ｄｉｇｉｔａｌ  Ｍｅｄｉａ  Ｐｒｉｎｔｅｒ）であることが好ましい。
【００１１】
このような構成によれば、ネットワークに容易に接続できると共に、ＵＰｎＰが規定するサービスを使用できる。
【００１２】
［適用例３］
上記適用例にかかる印刷システムにおいて、前記コンテンツ管理部は、前記印刷装置から前記識別情報に関する問い合わせを受けた場合、最初に、前記識別情報に対応する前記コンテンツを前記記録メディアに書き込んだことを示す書き込み情報を送り、前記情報取得部は、前記コンテンツ管理部から送られる前記書き込み情報が書き込みを示す場合、前記コンテンツ管理部に対して前記コンテンツ情報を要求することが好ましい。
【００１３】
このような構成によれば、記録メディアから読み込んだ識別情報に応じたコンテンツ情報を正確かつ確実に印刷できる。
【００１４】
［適用例４］
本適用例にかかる印刷装置は、ＤＬＮＡガイドラインに準拠するネットワークを介して接続されたメディア記録装置が記録メディアに記録したコンテンツの情報を、前記記録メディアに印刷する印刷装置であって、前記記録メディアに記録された情報を読み込む読み込み部と、前記読み込み部が読み込んだ情報から前記コンテンツに対応する識別情報を抽出し、前記識別情報に関する問い合わせを前記メディア記録装置に送り、前記メディア記録装置が前記問い合わせに対して送るコンテンツ情報を取得する情報取得部と、前記情報取得部が取得した前記コンテンツ情報を前記記録メディアに印刷する印刷部と、を備えることを特徴とする。
【００１５】
このような構成によれば、メディア記録装置は、記録メディアにコンテンツと、そのコンテンツに対応する識別情報を書き込み、印刷装置は、記録メディアに書き込まれた情報から識別情報を抽出し、抽出した識別情報に関してメディア記録装置に問い合わせる。そして、メディア記録装置は、印刷装置から問い合わせを受けた識別情報に対応するコンテンツ情報を取得して印刷装置に送り、印刷装置は、コンテンツ情報を取得し、取得したコンテンツ情報を記録メディアに印刷する。従って、記録メディアには、記録されたコンテンツに加えて、このコンテンツに対応する識別情報が書き込まれ、識別情報に基づいてコンテンツの情報を授受するため、記録メディアに記録したコンテンツの情報を正確かつ容易に記録メディアに印刷できる。
【００１６】
［適用例５］
本適用例にかかる印刷方法は、メディア記録装置と印刷装置とがＤＬＮＡガイドラインに準拠するネットワークを介して接続され、前記メディア記録装置がコンテンツを記録した脱着可能な記録メディアに、前記印刷装置が前記コンテンツの情報を印刷する印刷方法であって、前記メディア記録装置が記憶した前記コンテンツの中から選択された前記コンテンツのデータと、前記コンテンツに対応する識別情報を前記記録メディアに書き込む工程と、前記印刷装置が前記記録メディアに記録された情報を読み込む工程と、前記印刷装置が読み込んだ前記情報から前記識別情報を抽出し、前記メディア記録装置に対して前記識別情報に関して問い合わせる工程と、前記メディア記録装置が前記識別情報に関する問い合わせを受けた場合、前記識別情報に対応する前記コンテンツに関するコンテンツ情報を取得し、取得した前記コンテンツ情報を前記印刷装置に送る工程と、前記印刷装置が前記メディア記録装置から送られる前記コンテンツ情報を取得し、取得した前記コンテンツ情報を前記記録メディアに印刷する工程と、を有することを特徴とする。
【００１７】
このような方法によれば、メディア記録装置は、記録メディアにコンテンツと、そのコンテンツに対応する識別情報を書き込み、印刷装置は、記録メディアに書き込まれた情報から識別情報を抽出し、抽出した識別情報に関してメディア記録装置に問い合わせる。そして、メディア記録装置は、印刷装置から問い合わせを受けた識別情報に対応するコンテンツ情報を取得して印刷装置に送り、印刷装置は、コンテンツ情報を取得し、取得したコンテンツ情報を記録メディアに印刷する。従って、記録メディアには、記録されたコンテンツに加えて、このコンテンツに対応する識別情報が書き込まれ、識別情報に基づいてコンテンツの情報を授受するため、記録メディアに記録したコンテンツの情報を正確かつ容易に記録メディアに印刷できる。
【図面の簡単な説明】
【００１８】
【図１】本発明の実施形態に係るレーベル印刷システムの構成を示すブロック図。
【図２】コンテンツディレクトリーサービスとコネクションマネージャーサービスの定義例を示す図。
【図３】レーベル印刷システムを構成する印刷装置とメディア記録装置との処理の流れを説明するフローチャート。
【図４】コンテンツの情報を光ディスクに印刷するための従来のシステムの機能構成を示す図。
【発明を実施するための形態】
【００１９】
以下、印刷システムについて図面を参照して説明する。
【００２０】
（実施形態）
図１は、レーベル印刷システム５の全体の構成を示すブロック図である。レーベル印刷システム５は、記録メディアである光ディスク８０に種々のコンテンツを記録し、光ディスク８０の非記録面（レーベル領域）にコンテンツに関する情報を印刷する印刷システムであり、印刷装置１０とメディア記録装置３０とがネットワーク６２を介して接続されている。尚、本実施形態では、ネットワーク６２はＤＬＮＡガイドラインに対応するイントラネットを想定するが、これに限定されない。
メディア記録装置３０はＤＭＳとして機能し、印刷装置１０はＤＭＰｒとして機能し、何れもＵＰｎＰ規格に準拠している。また、このネットワーク６２には、所定のＯＳ（Ｏｐｅｒａｔｉｎｇ  Ｓｙｓｔｅｍ）に制御されるパーソナルコンピューター（図示は略す）等がＤＭＳとして更に接続されても良い。
【００２１】
メディア記録装置３０は、ＨＤＤレコーダーのような様態を想定し、通信部３２、コンテンツディレクトリーサービス３４、コネクションマネージャーサービス３６、ベンダーサービス４０、メディア書き込み部３８、コンテンツ記憶部４６および操作部４８を備える。
通信部３２は、例えば、ＯＳＩ（Ｏｐｅｎ  Ｓｙｓｔｅｍ  Ｉｎｔｅｒｃｏｎｎｅｃｔｉｏｎ）参照モデルのような階層化されたプロトコルに基づいて通信を行う。コンテンツディレクトリーサービス３４、コネクションマネージャーサービス３６およびベンダーサービス４０は、デバイスとしてのメディア記録装置３０がネットワーク６２を介して接続された他の装置に対して提供する機能を有する。コンテンツディレクトリーサービス３４は、印刷装置１０からの要求に応じて自身が保持するタイトルリスト情報を送信し、タイトルの削除、再生などを行う。また、コネクションマネージャーサービス３６は、通信の接続や解除に要するリソースを軽減する。尚、コンテンツディレクトリーサービス３４とコネクションマネージャーサービス３６は、ＵＰｎＰで規定される一般的なサービスであり、これらの定義例を図２に示す。図２の記述Ａは、コンテンツディレクトリーサービス３４を定義する一例を示し、図２の記述Ｂは、コネクションマネージャーサービス３６を定義する一例を示す。
【００２２】
ベンダーサービス４０は、コンテンツに関する情報を管理するコンテンツ情報管理部であり、コンテンツＩＤ管理部４２と識別情報管理部４４を備える。ここで、コンテンツＩＤと識別情報について説明する。識別情報は、光ディスク８０にコンテンツが書き込まれる際に、このメディア記録装置３０が書き込んだことを示すユニークな識別子であり、数十バイト程度のデータを想定する。また、コンテンツＩＤは、光ディスク８０に書き込まれたコンテンツと一意に対応するＩＤである。
本実施形態では、例えば、ハードディスク装置であるコンテンツ記憶部４６に記憶されたテレビ番組等のコンテンツの中から、ユーザーが操作部４８を操作して所望のコンテンツを選択し、選択されたコンテンツのデータはメディア書き込み部３８に送られ、予めセットされた光ディスク８０に書き込まれる。その際、識別情報管理部４４は、識別情報を生成してメディア書き込み部３８に送ることにより、識別情報は光ディスク８０に書き込まれる。本実施形態では、識別情報はコンテンツと同様に、光ディスク８０の記録層に書きこまれる様態を想定するが、この様態に限定されず、例えば、マトリックス型の２次元コードのようなバーコード情報が光ディスク８０のレーベル領域等に書き込まれる様態でも良い。また、コンテンツＩＤ管理部４２は、光ディスク８０に書き込んだコンテンツＩＤを生成する。この結果を受け、ベンダーサービス４０は、識別情報とコンテンツＩＤを関連付けて記憶する。
【００２３】
また、ベンダーサービス４０は、ネットワーク６２に接続されたＤＭＰｒから識別情報に関する情報の問い合わせを受けた場合、自身が生成した識別情報である場合は、その識別情報に対応するコンテンツＩＤを返す機能を有する。更に、ＤＭＰｒからコンテンツＩＤに関する情報の問い合わせを受けた場合、コンテンツディレクトリーサービス３４は、そのコンテンツＩＤに対応するコンテンツ情報をコンテンツ記憶部４６等から取得し、取得したコンテンツ情報をＤＭＰｒに送る機能を有する。
印刷装置１０は、通信部１２、印刷情報取得部１４、印刷部２０およびメディア読み込み部２２を備える。また、印刷情報取得部１４は、印刷すべき情報を取得する機能を有し、コンテンツ情報取得部１６と識別情報抽出部１８を備える。
通信部１２は、メディア記録装置３０と同様に、ＯＳＩ参照モデルのような階層化されたプロトコルに基づいて通信を行う。メディア読み込み部２２は、印刷対象としてセットされた光ディスク８０を読み込む。読み込んだ情報は、識別情報抽出部１８に送られる。
尚、本実施形態では、光ディスク８０の記録層に書き込まれた識別情報を読み取る光ディスクドライブを想定するが、識別情報が記録される様態によっては、バーコード等を読み取るバーコード読み取り装置の様態であっても良い。
【００２４】
識別情報抽出部１８は、メディア読み込み部２２から送られる情報の中から、光ディスク８０に書き込まれた識別情報を検索し、検索できた場合は識別情報を抽出する。印刷情報取得部１４は、識別情報抽出部１８が識別情報を抽出した場合、ネットワーク６２に接続されたＤＭＳを検索し、検索したＤＭＳにベンダーサービス４０を有するか、否かを問い合わせ、更に、抽出した識別情報を書き込んだＤＭＳか、否かを問い合わせる。ここで、検索したＤＭＳがメディア記録装置３０であった場合、識別情報抽出部１８は、メディア記録装置３０がベンダーサービス４０を有することを認識し、更に、ベンダーサービス４０が提供するアクションを使用して、識別情報抽出部１８が抽出した識別情報はメディア記録装置３０により書き込まれたことを認識する。
コンテンツ情報取得部１６は、メディア記録装置３０から送られたコンテンツＩＤに対応するコンテンツ情報をメディア記録装置３０から取得し、取得したコンテンツ情報を印刷部２０に送る。本実施形態では、コンテンツ情報は、コンテンツのタイトル名、再生時間、メモリーサイズ、作成日付、コンテンツの静止画像等を想定する。
印刷部２０は、コンテンツ情報取得部１６から送られるコンテンツ情報を光ディスク８０の非記録面に書き込む。本実施形態では、印刷部２０は、インクジェットプリンターを想定するが、これに限定されるものではない。また、印刷装置１０は、印刷機能に限定されず、コピーやスキャナー機能を備えた複合機の様態であっても良い。
【００２５】
図３は、レーベル印刷システム５を構成する印刷装置１０とメディア記録装置３０との処理の流れを説明するフローチャートである。
最初に、メディア記録装置３０に光ディスク８０がセットされ、記録するコンテンツが指定される（ステップＳ１００）。次に、メディア記録装置３０は、指定されたコンテンツを光ディスク８０に書き込む（ステップＳ１０５）。更に、メディア記録装置３０は、光ディスク８０に識別情報を書き込む（ステップＳ１１０）。続いて、メディア記録装置３０にセットされた光ディスク８０が取り出される（ステップＳ１１５）。
続いて、メディア記録装置３０から取り出された光ディスク８０は印刷装置１０にセットされる（ステップＳ１２０）。次に、印刷装置１０は、光ディスク８０に書き込まれた情報の中から識別情報を抽出する（ステップＳ１２５）。ここで、識別情報を抽出できない場合（ステップＳ１３０でＮｏ）、一連の処理を終了する。
【００２６】
他方で、識別情報を抽出できた場合（ステップＳ１３０でＹｅｓ）、印刷装置１０は、ネットワーク６２に接続されたＤＭＳを検索する（ステップＳ１３５）。ここで、ＤＭＳを検索できない場合（ステップＳ１４０でＮｏ）、一連の処理を終了する。
他方で、ＤＭＳを検索できた場合（ステップＳ１４０でＹｅｓ）、印刷装置１０は、メディア記録装置３０に対してベンダーサービス４０の有無を問い合わせる（ステップＳ１４５）。この問い合わせを受けて、メディア記録装置３０はベンダーサービス４０の有無を印刷装置１０に送る（ステップＳ１５０）。
印刷装置１０は、メディア記録装置３０がベンダーサービス４０を有しない場合（ステップＳ１５５でＮｏ）、ネットワーク６２に接続されたＤＭＳを検索する工程（ステップＳ１３５）に戻り、他のＤＭＳを検索する。
他方で、メディア記録装置３０がベンダーサービス４０を有している場合（ステップＳ１５５でＹｅｓ）、印刷装置１０は、メディア記録装置３０に対して識別情報を書き込んだか、否かを問い合わせる（ステップＳ１６０）。この問い合わせを受けて、メディア記録装置３０は識別情報に対する返答を送る（ステップＳ１６５）。
【００２７】
印刷装置１０は、メディア記録装置３０からの返答が、例えば、値がＮＵＬＬのように有効ではないコンテンツＩＤである場合（ステップＳ１７０でＮｏ）、ネットワーク６２に接続されたＤＭＳを検索する工程（ステップＳ１３５）に戻り、他のＤＭＳを検索する。
他方で、メディア記録装置３０からの返答が有効なコンテンツＩＤである場合（ステップＳ１７０でＹｅｓ）、印刷装置１０は、メディア記録装置３０に対して送られたコンテンツＩＤに応じたコンテンツ情報を要求する（ステップＳ１７５）。これを受けて、メディア記録装置３０は、コンテンツ情報を印刷装置１０に送る（ステップＳ１８０）。そして、印刷装置１０は、メディア記録装置３０から送られるコンテンツ情報を光ディスク８０に印刷し（ステップＳ１８５）、一連の処理を終了する。以上の処理により、コンテンツを書き込んだ光ディスク８０に対して、そのコンテンツに関するコンテンツ情報が正確かつ容易に収集され、収集されたコンテンツ情報は、その光ディスク８０に正しく印刷される。
本発明の実施形態について、図面を参照して説明したが、具体的な構成は、この実施形態に限られるものではなく、本発明の要旨を逸脱しない範囲の設計変更等も含まれる。例えば、記録メディアは、光ディスク８０に限定されない。フラッシュメモリーを用いたメモリーカードのような電子媒体であれば何れの様態でも良い。
【符号の説明】
【００２８】
５…レーベル印刷システム、１０…印刷装置、１２…通信部、１４…印刷情報取得部、１６…コンテンツ情報取得部、１８…識別情報抽出部、２０…印刷部、２２…メディア読み込み部、３０…メディア記録装置、３２…通信部、３４…コンテンツディレクトリーサービス、３６…コネクションマネージャーサービス、３８…メディア書き込み部、４０…ベンダーサービス、４２…コンテンツＩＤ管理部、４４…識別情報管理部、４６…コンテンツ記憶部、４８…操作部、６０…インターネット、６２…ネットワーク、７０…情報端末装置、８０…光ディスク、２１０…インクジェットプリンター、２１５…プリントエンハンスドサービス、２３０…ＨＤＤレコーダー。
【図１】
2011109436.tif 000003
【図２】
2011109436.tif 000004
【図３】
2011109436.tif 000005
【図４】
2011109436.tif 000006